(57)【要約】      （修正有）【課題】温度差、熱膨張率の相違によって歪みが生じても、ＬＥＤ光源が損傷、破損することのないＬＥＤ照明器具を提供する。【解決手段】実装基板５に固定したＬＥＤ光源６の光照射方向に接近して配光レンズ７を装着する。この配光レンズ７の動きをホルダプレート８によって規制する場合において、上記の配光レンズ７を光照射方向に移動可能とすべく、ホルダプレート８との間にクリアランスを設ける。配光レンズ７は、多数のＬＥＤ光源６に対して個別に対応して配設する。熱に起因する歪が生じてもクリアランスの範囲内で歪を吸収できるので、ＬＥＤ光源の損傷を防止できる。【選択図】図３
0003185505.tif 000002
【実用新案登録請求の範囲】
【請求項１】
実装基板に固定して設けたＬＥＤ光源における光照射方向に配光レンズを装着し、この配光レンズをホルダプレートによって保持したものにおいて、
上記の配光レンズを光照射方向において移動可能とすべく、配光レンズとホルダプレートとの間にクリアランスを設けたことを特徴とするＬＥＤ照明器具。
【請求項２】
各配光レンズをＬＥＤ光源に対して個々に分離して設けたことを特徴とする請求項１のＬＥＤ照明装置。
【考案の詳細な説明】
【技術分野】
【０００１】
本考案は、光源となるＬＥＤ素子を多数（数十個から数百個）配設した大容量型のＬＥＤ照明器具に関するものである。
【背景技術】
【０００２】
近年、環境意識が高揚する中、とりわけ電力分野においては、従来の白熱電球、蛍光灯などに代えて低消費電力、長寿命などの特性を備えたＬＥＤ(発光ダイオード)光源が使用されている。このＬＥＤ光源は、高輝度化が進み種々の用途に対応した照明装置が提案されている。
【０００３】
このＬＥＤ光源は指向性が高く、前方に強い光を照射するという特性があり、このため、目的用途に応じて適宜の配光手段、例えばリフレクタ、レンズあるいは拡散板などの装着が不可欠となっている。この中でレンズ手段を用いて配光を行うようにした照明器具を従来例として開示する。（特許文献１参照）
【０００４】
この従来の発明の実施例（図４参照）では、実装基板１００に多数のＬＥＤ素子１０１を配設しており、それらの光照射方向には個別にレンズ１０２を対応したものである。そして、これらレンズ１０２は保持板１０３と共に一体的に成型加工されている。またＬＥＤ素子１０１の配置部に近いレンズ端には、規制板１０５が当接してレンズ１０２を定位置に保持している。
【先行技術文献】
【特許文献】
【０００５】
【特許文献１】特開２０１２−９９２５６号
【考案の概要】
【考案が解決しようとする課題】
【０００６】
前述した従来の照明器具は、ＬＥＤ素子を多くとも数十個の単位で配設したいわば中容量の投光器であり、全体の発熱量も相応に小さいものである。従って外部へ熱放散を行う上での設計的な負担も軽く、熱を起因とする問題も生じていない。
【０００７】
ところで最近では、広いフィールド例えばゴルフ練習場などにおいては、極めて大容量の投光器が要望されている。このものは、一つの筐体内にＬＥＤ素子を数百個の単位で集約して配設したものであり、１０万ルーメンを超す全光束値が求められている。この大容量の照明器具においては、光照射量の増大に伴なって発熱量が大きくなり厳重な放熱対策を講じているが、それでもなお解決すべき熱的な問題を生ずる。
【０００８】
すなわち、従来例の構成をそのまま適用した場合には、実装基板１００（アルミ又は銅製）とレンズ１０２を保持する保持板１０３（ポリカーボネート製）さらにはレンズ１０２の端部１０４を規制する規制板１０５（ポリカーボネート製）の三者間の温度差、熱膨張率の相違によって反り、歪みを生じ、ＬＥＤ素子１０１とレンズ１０２の内端の微妙なクリアランス内において、位置ズレを起こし、そして、この結果ＬＥＤ素子の損傷、破損などを招くという問題があった。
【０００９】
本考案は、上記した従来技術の問題点に着目してなされたものであり、簡単な構造で熱による弊害を解決したＬＥＤ照明器具を提供しようとするものである。
【課題を解決するための手段】
【００１０】
上記の課題を解決するために、本考案に係るＬＥＤ照明器具は、実装基板に固定して設けたＬＥＤ光源における光照射方向に配光レンズを対応して装着し、この配光レンズをホルダプレートによって保持したものにおいて、上記の配光レンズを光照射方向において移動可能とすべく、ホルダプレートとの間にクリアランスを設けたことを構成したこと第１の特徴としている。
【００１１】
また本考案に係るＬＥＤ照明器具は、上記において、各配光レンズをＬＥＤ光源に対して個々に分離して設けたことを第２の特徴としている。
【考案の効果】
【００１２】
上記のように構成した課題解決手段によれば、実装基板とホルダプレートの温度差、熱膨張率の相違によって歪などを生じたとしても、許容されたクリアランスの範囲内で逃げを起こすことができる。このため、ＬＥＤ素子の損傷、破損などの問題点を解消することができるという優れた効果を発揮する。
【図面の簡単な説明】
【００１３】
【図１】本考案に係るＬＥＤ照明器具の一実施例を示す正面図である。
【図２】同じく、縦断側面図である。
【図３】要部の構造を示す縦断側面図である。
【図４】従来の照明器具の構造を示す説明図である。
【考案を実施するための形態】
【００１４】
発熱による弊害をなくし、ＬＥＤ照明器具の信頼性を保障しようとする目的を、最小の部品点数をもって合理的に実現した。
【実施例１】
【００１５】
図１において、１は長方形状のケース  ２はケース１の両側に設けたスタンド  ３はスタンド２に対してケース１を傾斜調整する回動調整手段である。
【００１６】
上記のケース１内には、図２のように大版のアルミ合金製プレートからなる取付板４を配設する。そして、この取付板４には図３のように放熱シートを介してアルミ板製の実装基板５を取りつける。実装基板５は、図１に示すように５分割されており、取付板４の全面に配置される。
【００１７】
６は実装基板５にマトリクス状に配設した多数（実施例では、９０個×５枚＝４５０個）のＬＥＤ光源（ＬＥＤ素子）  ７はＬＥＤ光源６の光照射方向（図においては、左側）に対応して装着した配光レンズ  この配光レンズ７は、ポリカーボネート樹脂の射出成型によって製作する。
【００１８】
上記の配光レンズ７は、図３のように、ほぼ砲弾形のボディ７ａと、左右に伸びる一対の支脚７ｂを有し、この支脚７ｂを前記実装基板５の表面に接している。７ｃはＬＥＤ光源６の収容空間  ７ｄは配光レンズ７の光照射面  ７ｅは光照射面７ｄ側に設けた円周段部である。
【００１９】
８は前記した実装基板５と適当な距離をおいて側方に配設した平板状のホルダプレート  このホルダプレート８は、透明なポリカーボネート樹脂によって製作されており、全面に多数の段付丸穴９を穿設する。上記の段付丸穴９は、前記した各配光レンズ７に対応しており、この配光レンズ７の円周段部７ｅを収容する。
【００２０】
ここで円周段部７ｅは、段付丸穴９に対して適宜のクリアランス（間隙）をもって装着されており、このクリアランスは、ＬＥＤ光源の光軸方向（図３の左右方向）と、これに直交する方向の両方向にとってあり、これらの方向における配光レンズ７との相対的な移動を許容している。
【００２１】
１１は実装基板５とホルダプレート８との間に介装したスペーサ  １２はホルダプレート８を取付板４に締め付け固定する取付ネジ  １３は光照射方向の前面側にしてケース１の全面に配設した強化ガラス製のカバー板である。
【産業上の利用可能性】
【００２２】
上記の一実施例では、多数のＬＥＤ光源をマトリクス状に配設した照明器具について適用したものであるが、多数のＬＥＤ光源を放射状に配設した大形の照明器具においても同様に適用することができることは勿論である。
【符号の説明】
【００２３】
１    ケース
４    取付板
５    実装基板
６    ＬＥＤ光源
７    配光レンズ
７ａ  ボディ
７ｃ  収容空間
７ｅ  円周段部
８    ホルダプレート
９    段付丸穴
１３    カバー板
【図１】
0003185505.tif 000003
【図２】
0003185505.tif 000004
【図３】
0003185505.tif 000005
【図４】
0003185505.tif 000006